(57)【要約】回路保護装置あるいはヒューズ等のどちらかと共に取付けされると過負荷の発生を使用者に知らせるために自動的に点灯する表示灯が開示されている。
2004526291.tif 000002
【特許請求の範囲】
【請求項１】
電気回路保護装置と組み合わせて使用される回路過負荷表示灯であって、
回路過負荷表示灯と、
電気回路保護装置と、
を含み、
前記回路過負荷表示灯は前記回路過負荷表示灯を加圧するようにそこから延長する第１および第２リード線を含み、前記電気回路保護装置は前記電気回路保護装置と結合された全ての電気構成要素を収容するハウジング、およびボタンハウジングを有しており、前記全ての電気構成要素は電気通信するように相互接続されており、前記電気構成要素は、第１端末と、第２端末と、電流応答バイメタル要素と、遮断ブレード型リセットボタンとを含んでおり、前記遮断ブレード型リセットボタンは起動位置および閉鎖位置を有しており、前記回路過負荷表示灯は適切な取付手段によって前記ボタンハウジングの上部の上に取り付けられており、前記遮断ブレード型リセットボタンは電気メッキ部分を含む前面および電気メッキ部分を含む背面を有しており、前記第１リード線は適切な取付手段によって前記遮断ブレード型リセットボタンの上または内部に固定式に取り付けられて前記前面の前記電気メッキ部分と相互接続されており、前記第２リード線は適切な取付手段によって前記遮断ブレード型リセットボタンの上または内部に固定式に取り付けられて前記背面の前記電気メッキ部分と相互接続されており、前記電気回路保護装置が過負荷を被ると前記遮断ブレード型リセットボタンは前記起動位置に移動して前記回路過負荷表示灯を自動的に点灯させることを特徴とする回路過負荷表示灯。
【請求項２】
それぞれの適切な取付手段はハンダであることを特徴とする請求項１記載の回路過負荷表示灯。
【請求項３】
適切な取付手段は接着剤であることを特徴とする請求項１記載の回路過負荷表示灯。
【請求項４】
電気回路保護装置と組み合わせて使用される回路過負荷表示灯であって、
回路過負荷表示灯と、
電気回路保護装置と、
を含んでおり、
前記回路過負荷表示灯は前記回路過負荷表示灯を加圧するようにそこから延長する第１リード線および第２リード線を含み、前記電気回路保護装置は前記電気回路保護装置と結合された全ての電気構成要素を収容するためのハウジング、およびボタンハウジングを有し、前記全ての電気構成要素は電気通信するように相互接続され、前記電気構成要素は、第１端末と、第２端末と、電流応答バイメタル要素と、遮断ブレード型リセットボタンとを含んでおり、前記遮断ブレード型リセットボタンは起動位置および閉鎖位置を有しており、前記回路過負荷表示灯は適切な取付手段によって前記ボタンハウジングの上部の上に取り付けられており、各前記リード線は前記ボタンハウジング内に形成された凹部内に保持されており、前記第１リード線は適切な取付手段によって前記第１端末と相互接続されており、前記電気回路保護装置の前記ハウジングは適切な取付手段によって前記第２端末に取り付けられて通電した電気メッキ部分を有しており、前記第２リード線は前記電気メッキ部分と相互接続され、適切な取付手段によって固定式に取り付けられており、前記電気回路保護装置が過負荷を被ると、前記遮断ブレード型リセットボタンは前記起動位置に移動して前記回路過負荷表示灯を自動的に点灯させることを特徴とする回路過負荷表示灯。
【請求項５】
電気回路保護装置と組み合わせて使用される回路過負荷表示灯であって、
回路過負荷表示灯と、
電気回路保護装置と、
を含んでおり、
前記回路過負荷表示灯は前記回路過負荷表示灯を加圧するようにそこから延長する第１および第２リード線を有しており、前記電気回路保護装置は前記電気回路保護装置と結合された全ての電気構成要素を収容するためのハウジング、およびボタンハウジングを有しており、前記全ての電気構成要素は電気通信するように相互接続されており、前記電気構成要素は、第１端末と、第２端末と、電流応答バイメタル要素と、遮断ブレード型リセットボタンとを含み、前記遮断ブレード型リセットボタンは起動位置および閉鎖位置を有しており、前記回路過負荷表示灯は適切な取付手段によって前記ボタンハウジングの上部の上に取り付けられており、各前記リード線は前記ボタンハウジング内に形成された凹部内に保持されており、前記回路保護装置ハウジングは各前記リード線を通してスライド式に受領するための孔部を含んでおり、前記第１リード線は前記孔部内から前記回路保護装置ハウジングを通って延長するのに十分な長さで提供され、機能的取付手段によって前記第１端末に固定式に取り付けられており、前記第２リード線は前記孔部内から前記回路保護装置ハウジングを通って延長するのに十分な長さで提供され、機能的取付手段によって前記第２端末に固定式に取り付けられており、前記電気回路保護装置が過負荷を被ると前記遮断ブレード型リセットボタンは起動位置に移動して前記回路過負荷表示灯を自動的に点灯させることを特徴とする回路過負荷表示灯。
【請求項６】
第１機能的取付手段は第１リード線を第１端末の周囲に巻き付ける方法を含み、第２機能的取付手段は第２リード線を第２端末の周囲に巻き付ける方法を含むことを特徴とする請求項５記載の回路過負荷表示灯。
【請求項７】
電気回路保護装置と組み合わせて使用される回路過負荷表示灯であって、
回路過負荷表示灯と、
電気回路保護装置と、
を含んでおり、
前記回路過負荷表示灯は前記回路過負荷表示灯を加圧するようにそこから延長する第１および第２リード線を有しており、前記第１および第２リード線を有する前記回路過負荷表示灯は長形ハウジング内に収容されており、前記第１および第２リード線を有する前記回路過負荷表示灯は前記長形ハウジングと共にライトスティックを形成しており、前記電気回路保護装置は前記電気回路保護装置と結合された全ての電気構成要素を収容するハウジング、およびボタンハウジングを有しており、前記全ての電気構成要素は電気通信するように相互接続されており、前記電気構成要素は、第１端末と、第２端末と、電流応答バイメタル要素と、遮断ブレード型リセットボタンとを含んでおり、前記遮断ブレード型リセットボタンは起動位置および閉鎖位置を有しており、前記回路過負荷表示灯は適切な取付手段によって前記ボタンハウジングの上部の上に取り付けられており、各前記リード線は前記ボタンハウジング内に形成された凹部内に保持されており、前記回路保護装置ハウジングは前記ライトスティックを通してスライド式に受領するための孔部を有しており、前記第１リード線は前記孔部内から前記回路保護装置ハウジングを通って延長するのに十分な長さで提供され、機能的取付手段によって前記第１端末に固定式に取り付けられており、前記第２リード線は前記孔部内から前記回路保護装置ハウジングを通って延長するのに十分な長さで提供され、機能的取付手段によって前記第２端末に固定式に取り付けられており、前記電気回路保護装置が過負荷を被ると前記遮断ブレード型リセットボタンは前記起動位置に移動して前記回路過負荷表示灯を自動的に点灯させることを特徴とする回路過負荷表示灯。
【請求項８】
ヒューズホルダーと組み合わせて使用される回路過負荷表示灯であって、
回路過負荷表示灯と、
内部で従来型ヒューズを着脱式に受領し、加圧し、支持するためのヒューズホルダーと、
を含み、
前記回路過負荷表示灯は前記回路過負荷表示灯を加圧するようにそこから延長する第１および第２リード線を有しており、前記ヒューズホルダーはそこから延長する第１電気リード線と、そこから延長する第２電気リード線と、第１端末と、第２端末とを有しており、前記第１電気リード線は適切な取付手段によって前記第１端末と相互接続された電気通信状態であり、前記第２電気リード線は適切な取付手段によって前記第２端末と相互接続された電気通信状態であり、前記回路過負荷表示灯は適切な取付手段によって前記ヒューズホルダーの上に固定式に取り付けられており、前記回路過負荷表示灯の前記第１リード線は適切な取付手段によって前記第１端末の上に固定式に取り付けられており、前記回路過負荷表示灯の前記第２リード線は適切な取付手段によって前記第２端末の上に固定式に取り付けられており、過負荷の発生に応じて前記回路過負荷表示灯は自動的に点灯することを特徴とする回路過負荷表示灯。
【請求項９】
それぞれの適切な取付手段はハンダを含むことを特徴とする請求項８記載の回路過負荷表示灯。
【請求項１０】
適切な取付手段は接着剤であることを特徴とする請求項８記載の回路過負荷表示灯。
【請求項１１】
電気回路保護装置と組み合わせて使用される回路過負荷表示灯であって、
回路過負荷表示灯と、
電気回路保護装置と、
を含んでおり、
前記回路過負荷表示灯は前記回路過負荷表示灯を加圧するようにそこから延長する第１および第２リード線を有しており、前記電気回路保護装置はハウジングと、前記回路保護装置ハウジングを搭載するための搭載プレートと、第１端末と、第２端末と、前記回路保護装置ハウジングと結合するような形状とサイズの整流子ストリップとを有しており、前記整流子ストリップは内部で負接触および正接触を層状にさせる素材で製造されており、前記回路過負荷表示灯および前記回路過負荷表示灯から延長する各前記リード線は前記整流子ストリップ内で層状化されており、前記整流子ストリップは前記第１端末を通してスライド式に受領するような形状とサイズの第１開口部を含んでおり、前記整流子ストリップは前記第２端末を通してスライド式に受領するような形状とサイズの第２開口部を含んでおり、前記整流子ストリップは各前記端末の上方で前記ヒューズハウジングの上部と容易にスライド式に係合されることが可能であり、前記整流子スリップは適切な固定手段によって前記回路保護装置ハウジングの上にしっかりと固定され、過負荷の発生に応じて前記回路過負荷表示灯を自動的に加圧し、点灯させることを特徴とする回路過負荷表示灯。
【請求項１２】
適切な固定手段はナットおよびボルトを含むことを特徴とする請求項１１記載の回路過負荷表示灯。
【請求項１３】
第１リード線および第２リード線は光ファイバー素材で提供されることを特徴とする請求項１１記載の回路過負荷表示灯。
【請求項１４】
組み合わせられた回路過負荷表示灯とヒュージブルリンクであって、
回路過負荷表示灯と、
ヒュージブルリンクと、
を含んでおり、
前記回路過負荷表示灯は前記回路過負荷表示灯を加圧するようにそこから延長する第１リード線および第２リード線を有しており、前記第１リード線および第２リード線を有する前記回路過負荷表示灯は通常は前記ヒュージブルリンクと結合された既存の回路内に一列に搭載されて電気的に接続されており、前記ヒュージブルリンクは過負荷が発生すると自動的に断線し、過負荷の発生に応じて前記回路過負荷表示灯は自動的に点灯することを特徴とする組み合わせられた回路過負荷表示灯とヒュージブルリンク。
【請求項１５】
組み合わせられた回路過負荷表示灯とガラス管ヒューズアダプタであって、
回路過負荷表示灯と、
ガラス管ヒューズアダプタと、
を含んでおり、
前記ガラス管ヒューズアダプタは前記回路過負荷表示灯および通常は前記ガラス管ヒューズアダプタと結合された回路を加圧するための回路を有する前記回路過負荷表示灯を収容するハウジングを有しており、前記ガラス管ヒューズアダプタは内部で従来型ガラス管ヒューズをネジ式に受領するように内側がネジ山処理されており、前記ガラス管ヒューズアダプタが既存のガラス管ヒューズ容器内に受領されると前記回路過負荷表示灯は自動的に点灯し、前記従来型ガラス管ヒューズが前記ガラス管ヒューズアダプタ内にネジ式に挿入され、固定式に取り付けられると、前記回路過負荷表示灯は自動的に消灯し、前記従来型ガラス管ヒューズが過負荷を被ると前記回路過負荷表示灯は自動的に点灯することを特徴とする組み合わせられた回路過負荷表示灯とガラス管ヒューズアダプタ。
【請求項１６】
組み合わせられた回路過負荷表示灯とインラインヒューズアダプタであって、
回路過負荷表示灯と、
ガラス管ヒューズアダプタと、
を含んでおり、
前記ガラス管ヒューズアダプタは典型的なヒューズ容器内で摩擦的に係合されるような形状とサイズのハウジングを有しており、前記ハウジングは通常は内部のインラインヒューズと結合された前記回路過負荷表示灯と適切な回路を加圧するための適切な回路を有した前記回路過負荷表示灯を含み、前記インラインヒューズアダプタは典型的な既存のインラインヒューズを受領して保持するための内部空洞を有しており、前記インラインヒューズアダプタハウジングが前記典型的なヒューズ容器内に取り付けられると、前記回路過負荷表示灯は自動的に点灯し、前記従来型インラインヒューズが前記インラインヒューズアダプタ内に挿入され、固定式に取り付けられると、前記回路過負荷表示灯は自動的に消灯し、前記従来型インラインヒューズが過負荷を被ると、前記回路過負荷表示灯は自動的に点灯することを特徴とする組み合わせられた回路過負荷表示灯とインラインヒューズアダプタ。
【発明の詳細な説明】
【関連出願】
【０００１】
本明細書は、２００１年４月１６日に出願された本出願人による米国仮出願番号第６０／２８４，１６６号を基礎としている。
【技術分野】
【０００２】
本発明は従来型回路保護装置あるいはヒューズと接続された改良品に関し、より具体的には回路過負荷が発生した場合に回路保護装置あるいは切れたヒューズによって起動されて自動的に点灯する表示灯の使用を組み込んだ改良品に関する。
【背景技術】
【０００３】
回路保護装置には多くのタイプが存在し、過去に様々なタイプの表示灯が教示されてきた。しかしながら、現在に至るまで表示灯と回路保護装置の組み合わせたものはなく、示唆すらも皆無であった。
【０００４】
現在入手が容易な市販のごく一般的な回路保護装置は、実質的に２つの特許の組み合わせである。米国特許第４，９２２，２１９号「回路ブレーカー」および第４，６８７，１６４号「スナップ取り付けブッシング」（両特許共にケネス  Ｃ．バクハウスとブルース  Ｃ．スダネック）である。第４，９２２，２１９号の回路ブレーカーの実際構造は、第４，６８７，１６４号のスナップ取り付けブッシングを組み込むために改良されている。上記の２つの特許を組み合わせることによって、典型的な取り付けパネルの従来型円形開口部内に容易にフィットする形状とサイズの電気回路保護装置が提供される。この組み合わせ品は、品番０９００として有限会社ＭＥＣＨＡＮＩＣＡＬ  ＰＲＯＤＵＣＴＳ（ミシガン州、ジャクソン）により販売および生産されている。
【０００５】
この組み合わせられた回路保護装置は当技術分野において新規であり、広く受け入れられ、利用度が高い。しかしながら、このような回路保護装置が電気過負荷の発生を感知して回路を切断した場合に自動点灯する表示灯を含んでいたならば、最も有利で、さらに需要の高い改良だったであろう。残念ながら上記の回路保護装置はポップアップスイッチを提供するのみであり、これは電気回路過負荷の発生を管理担当者に素早く視覚的に知らせるためには効果的でない。
ゆえに、本発明の重要な１目的は、電気回路保護装置と共に使用され、電気回路過負荷の発生時に回路保護装置によって自動的に起動される表示灯を提供することである。
【０００６】
本発明の別目的は、電気回路保護装置と共に使用され、購入後に購入者によって電気回路保護装置内に搭載されるか、製造中に簡単に組み込まれる表示灯を提供することである。
【０００７】
本発明の非常に重要な１目的は、電気回路保護装置と共に使用され、非常に驚くべき結果を提供し、電気過負荷の発生を使用者に素早く視覚的に知らせる表示灯を提供することである。このような電気保護装置は、通常は複数搭載されるため、どの電気回路保護装置が起動されたのか判断するのは非常に困難である。これは取り付けパネルが暗所に配置されている際や夜間において特に明白である。このような状況で該当する電気回路保護装置を見つけだすことは、非常に困難で煩わしい。ゆえに、本発明は即座に判断できるように使用者に通知し、時間とエネルギ−の浪費を省く。
【０００８】
本発明の別目的は、電気回路保護装置と共に使用される表示灯であって、技術的に適切な照明手段で提供できる表示灯を提供することである。例えば、そのような適切な照明手段は発光ダイオ−ド“ＬＥＤ”等の既存の光源を含むが、それらに限定されない。
【０００９】
本発明のさらなる別目的は、電気回路保護装置と共に使用され、経済的に生産でき、容易に市販できる表示灯を提供することである。また、本発明は導電性プラスチックで成る回路保護装置および／あるいはヒューズハウジングと共に使用するのが最も適切である。
【００１０】
その他の目的および利点は、以下で図面を利用して記述される。
【発明を実施するための最良の形態】
【００１１】
添付図面では、同種の要素に同じ表記番号を一貫して使用している。図１では、番号（１０）は図２のように電気回路保護装置（１２）と共に使用される回路過負荷表示灯を実質的に示している。好適実施例の表示灯は、表示灯（１０）を加圧するようにそこから延長した第１および第２リード線（１０−Ａと１０−Ｂ）を有する回路過負荷表示灯（１０）を含む。回路過負荷表示灯の適切なタイプの１例は、ＲＡＤＩＯ  ＳＨＡＣＫ社のマイクロランプ（ｍｉｃｒｏ  ｌａｍｐ）７２１９番である。しかしながら、技術的に適切な回路過負荷表示灯ならどれでも使用できる。
【００１２】
図２は、米国特許第４，６８７，１６４号で開示されたような典型的な従来型電気回路保護装置（１２）の第１実施例であり、全ての電気構成要素を収容するための回路保護装置ハウジング（１４）を含む。全ての電気構成要素は電気通信するように相互接続されており、それらの電気構成要素は典型的には電気回路保護装置（１２）に接続されている。電気構成要素は第１端末（２０−Ａ）と、第２端末（２０−Ｂ）と、電流応答（ｃｕｒｒｅｎｔ  ｒｅｓｐｏｎｓｉｖｅ）バイメタル要素（２２）と、ボタンハウジング（１８）内でスライド式に係合した遮断ブレード型リセットボタン（１６）とを含むが、それらのみに制限されない。遮断ブレード型リセットボタン（１６）はバネ（図示せず）のごとき適切な起動手段と相互接続され、それによって起動位置と閉鎖位置との間で移動させられる。
【００１３】
遮断ブレード型リセットボタン（１６）が閉鎖位置にある場合、電気回路保護装置（１２）が典型的な電気回路内に一列で搭載されると、通電が遮断されることなく可能になる。しかしながら、電気回路過負荷が発生すると、過負荷による熱に応答するバイメタル要素（２２）が自動的に湾曲状に変形する。それによって起動手段は遮断ブレード型リセットボタン（１６）をボタンハウジング（１８）内から上方へ突起させる。このように、遮断ブレード型リセットボタンは過負荷が発生すると自動的に起動位置に移動する。この方法は上記の従来技術によく知られており、記述されている。
【００１４】
電気回路保護装置（１２）は、回路過負荷の発生を管理担当者に自動的に知らせる。管理者は遮断ブレード型リセットボタン（１６）がボタンハウジング（１８）内から突起しているのを見ることができるため、原因が特定され、適宜に修復される。
【００１５】
しかしながら、この種の通知手段は回路過負荷表示灯（１０）の使用ほど効果的ではない。ゆえに、本発明は上記のプロセスを含み、遮断ブレード型リセットボタン（１６）が起動位置に移動した際に以下の方法で取り付けられると自動的に点灯する回路過負荷表示灯（１０）をさらに含む。
【００１６】
回路過負荷表示灯（１０）は複数の方法で取付けでき、いくつかの可能な取付方法が以下で記述される。しかしながら、本発明はそのような取付方法に制限されず、将来適用できるようになるであろう別タイプの方法も含む。
【００１７】
図３および図４は、回路保護装置（１０）搭載のための好適実施例を示している。過負荷表示灯（１０）は、接着剤などの適切な接着手段によって遮断ブレード型リセットボタン（１６）の上または内部の適切な位置に実質的に取り付けられる。そこから延長するリード線（１０Ａおよび１０Ｂ）は、以下のように遮断ブレード型リセットボタン（１６）の上または内部に取り付けられる。
【００１８】
図３は、電気メッキされた部分（２４）を含む遮断ブレード型リセットボタン（１６）の正面図である。回路過負荷表示灯（１０）の第１リード線（１０−Ａ）は遮断ブレード型リセットボタン（１６）の上または内部の技術的に適した位置に固定的に取り付けられ、ハンダ（２６）等の適切な接着手段によって電気メッキ部分（２４）と相互接続される。
【００１９】
図４は、電気メッキ部分（２８）を含む遮断ブレード型リセットボタン（１６）の背面図である。回路過負荷表示灯（１０）の第２リード線（１０−Ｂ）は、遮断ブレード型リセットボタン（１６）の上または内部の技術的に適切な位置に固定式に取り付けられ、ハンダ（３０）等の適切な接着手段によって電気メッキ部分（２８）と相互接続される。
【００２０】
ゆえに、遮断ブレード型リセットボタン（１６）がその起動位置に移動した場合、第１および第２リード線（１０−Ａと１０−Ｂ）が同時に加圧され、回路過負荷表示灯（１０）が自動的に点灯する。
【００２１】
非常に重要なことであるが、この方法は技術コストや生産ラインコストをほとんどかけずに生産時において容易に達成できるため、回路過負荷表示灯（１０）を電気回路保護装置（１２）に組み込む最も経済的で効率的な方法である。
【００２２】
図５は、改良の必要がほとんどない別種の組立方法を示している。回路過負荷表示灯（１０）は、ボタンハウジング（１８）内に形成された凹部内に保持された第１および第２リード線を有するボタンハウジング（１８）内に形成された凹部内に搭載される。回路過負荷表示灯（１０）の第１リード線（１０−Ａ）は、ハンダ（３２）のごとき適切な接着手段によって技術的に適した位置で第１端末（２０−Ａ）と相互接続される。回路過負荷表示灯（１０）の第２リード線（１０−Ｂ）は、ハンダ（３４）のごとき適切な接着手段によって技術的に適切な電気メッキ部分（３６）上の位置で相互接続され、電気メッキ部分はハンダ（３８）のごとき適切な通信および接着手段によって技術的に適切な位置で第２端末（２０−Ｂ）に取り付けられて、第２端末と電気通信する。
【００２３】
図６は改良がほとんど必要ないさらに別の組立手段を示している。回路過負荷表示灯（１０）はボタンハウジング（１８）上に取り付けられ、回路保護装置ハウジング（１４）は内部を通る第１および第２リード線（１０−Ａおよび１０−Ｂ）をスライド式に受領するような形状およびサイズの孔部を有する。第１リード線（１０−Ａ）は孔部内から回路保護装置ハウジング（１４）を通って延長するのに十分な長さで提供され、第１リード線（１０−Ａ）は、第１リード線（１０−Ａ）を第１端末（２０−Ａ）周囲に巻き付ける等の技術的に適切な機能的接着手段を利用して第１端末（２０−Ａ）に固定式に取り付けられる。
【００２４】
また、第２リード線（１０−Ｂ）は孔部内から回路保護装置ハウジング（１４）を通って延長するのに十分な長さで提供され、第２リード線（１０−Ｂ）を第２端末（２０−Ｂ）周囲に巻き付ける手段等の技術的に適切な機能的接着手段を利用して第２端末（２０−Ｂ）に固定式に取り付けられる。
【００２５】
図７では、前述の実施例は長形ハウジング内に収容され、組み合わせられてライトスティック（４０）を形成する回路過負荷表示灯（１０）および第１および第２リード線（１０−Ａと１０−Ｂ）と、回路保護装置ハウジング（１４）と、内部を通るライトスティック（４０）をスライド式に受領する孔部を備えたボタンハウジング（１８）とをさらに含む。
【００２６】
本発明は、様々なタイプのヒューズおよび／あるいは回路ブレーカーと共に使用できるように別種の実施例をも含んでいる。しかしながら、取り付けられた回路過負荷表示灯（１０）が過負荷に応じて自動点灯するという最終結果はいかなる場合においても実質的に同じである。
【００２７】
図８は、内部のヒューズ（図示せず）を着脱式に受領し、加圧し、支持するための従来型ヒューズホルダー（４２）を示している。ヒューズホルダー（４２）はそこから延長する第１電気リード線（４２−Ａ）と、そこから延長する第２電気リード線（４２−Ｂ）と、第１端末（４４）と、第２端末（４６）とを有する。第１電気リード線（４２−Ａ）は第１端末（４４）と電気通信して相互接続されており、第２リード線（４２−Ｂ）は第２端末（４６）と電気通信して相互接続されている。
【００２８】
本発明は回路過負荷表示灯（１０）と組み合わせた従来型ヒューズホルダー（４２）を含んでいる。それらが後述のように組み合わせられて搭載されると、過負荷の発生に応じて回路過負荷表示灯（１０）が自動点灯するため、ヒューズホルダー（４２）内に搭載されたヒューズ（図示せず）が飛んで、交換が必要であることを即座に判断できる方法で管理担当者に伝えることができる。
【００２９】
回路過負荷表示灯（１０）は技術的に適切な位置でヒューズホルダー（４２）上に固定式に搭載でき、第１リード線（１０−Ａ）はハンダ（４８）等の適切な接着手段によって第１端末（４４）に固定式に取り付けることができる。第２リード線（１０−Ｂ）はハンダ（５０）等の適切な接着手段によって第２端末（４６）に取り付けることができる。過負荷の発生に応じて回路過負荷表示灯（１０）が自動点灯するため、ヒューズ（図示せず）が飛んで、交換が必要であることを管理担当者に知らせることができることは明らかである。
【００３０】
図９は、ハウジング（５２）で提供された従来型回路保護装置の別タイプ、および過負荷が発生した際の別指示方法を示している。回路保護装置ハウジング（５２）は回路保護装置ハウジング（５２）を搭載するための搭載プレート（５４）と、第１端末（５６）と、第２端末（５８）とを含む。本発明は上記の従来技術の教示内容とそのハウジングを含む。しかしながら、従来技術は回路保護装置ハウジングの上部と実質的に結合されるような形状とサイズの整流子ストリップ（６０）を含む本発明へと改良されている。整流子ストリップ（６０）は、内部で負接触および正接触（図示せず）を層状にさせる技術的に適切な素材の何れかによって実質的に提供される。回路過負荷表示灯（１０）、第１および第２リード線もまた整流子ストリップ（６０）内で層状化されている。整流子ストリップ（６０）は内部を通る第１端末（５６）をスライド式に受領するような形状とサイズの第１開口部（６４）と、内部を通る第２端末（５８）をスライド式に受領するような形状とサイズの第２開口部（６２）とを含む。また、整流子ストリップ（６０）は、回路過負荷表示灯が点灯した際にビームを遮断器ボックス等のリモート位置に伝達する手段を含むことができる。整流子ストリップ（６０）は適切なリモート位置と相互接続される光ファイバー線（６１）を含むことができる。
【００３１】
ゆえに、整流子ストリップ（６０）は各端末（５６と５８）の上方で回路保護装置ハウジング（５２）の上部とスライド式に容易に係合でき、ナット（６６）およびボルト（６８）のごとき適切な固定手段でしっかりと固定される。過負荷が発生すると、整流子ストリップ（６０）は回路過負荷表示灯（１０）を自動的に加圧して点灯させる。
【００３２】
図１０は、通常は数多くのタイプのヒューズ内で使用される従来型ヒュージブルリンク（７０）を示しており、過負荷が発生するとヒュージブルリンクは自動的に断線する。ゆえに、一列に搭載され、通常はヒュージブルリンク（７０）と結合された既存の回路内で電気的に接続された回路過負荷表示灯（１０）を含むことは最も有利であろう。この組み合わせ回路は複数の方法で組み込むことができるため、本明細書中は好適実施例を開示せず、ヒュージブルリンク（７０）と回路過負荷表示灯（１０）との組み合わせの概念のみを述べる。
【００３３】
図１１は、典型的な既存のヒューズ容器（図示せず）とネジ式に係合されるような形状とサイズのヒューズアダプタ（７２）を示している。ヒューズアダプタ（７２）は回路過負荷表示灯（１０）、および内部のヒューズアダプタ（７２）と通常は結合された適切な回路を加圧するための回路を有する回路過負荷表示灯を収容するハウジングを有する。ヒューズが飛んだ後の復帰（ｒｅｔｕｒｎ）アンペア、電圧あるいは電流を制御する調整手段を含んで偶発性ショックおよび／あるいは回路過負荷を防止させることは有用であろう。このような調整手段は、抵抗器のごとき技術的に適切な手段を含むことができる。また、ヒューズアダプタ（７２）は、内部の従来型ヒューズ（７４）をネジ式に受領するように内側がネジ山処理される。実用の際、ヒューズ容器内にヒューズアダプタ（７２）が取り付けられると、回路過負荷表示灯（１０）は自動的に点灯する。しかしながら、従来型ヒューズ（７４）がネジ式に挿入され、ヒューズアダプタ（７２）内に固定式に取り付けられると、回路過負荷表示灯（１０）は自動的に消灯する。その後、従来型ヒューズ（７４）が過負荷を被ると、従来型ヒューズ（７４）は通常どおりに飛び、回路過負荷表示灯（１０）は自動的に点灯し、従来型ヒューズ（７４）の交換の必要を管理担当者に知らせる。
【００３４】
図１２は、典型的なインラインヒューズ容器（図示せず）内と摩擦的に係合されるような形状とサイズのハウジングを有したインラインヒューズアダプタ（７６）を含む別実施例を示している。インラインヒューズアダプタ（７６）は、回路過負荷表示灯（１０）、および内蔵のインラインヒューズアダプタ（７６）と通常は結合した適切な回路を加圧するための適切な回路を有する回路過負荷表示灯（１０）を含む。また、インラインヒューズアダプタ（７６）は、内部で典型的な既存のインラインヒューズ（７８）を受領して保持するための内部空洞を含む。実用の際、インラインヒューズアダプタ（７６）がヒューズ容器内に取り付けられると、回路過負荷表示灯（１０）は自動点灯する。しかしながら、従来型インラインヒューズ（７８）がインラインヒューズアダプタ（７６）内に挿入されて固定式に取り付けられると、回路過負荷表示灯（１０）は自動的に消灯する。その後、従来型インラインヒューズ（７８）が過負荷を被ると、従来型インラインヒューズ（７８）は通常どおりに飛び、回路過負荷表示灯（１０）が自動点灯し、従来型ヒューズ（７８）の交換の必要を管理担当者に知らせる。ヒューズが飛んだ後に復帰アンペア、電圧あるいは電流を制御する調整手段を含んで偶発的ショックおよび／あるいは回路過負荷を防止させることは有用である。そのような調整手段は、抵抗器のごとき技術的に適切な手段を含むことができる。
【００３５】
本明細書では、典型的な従来型回路保護装置、および／あるいは回路過負荷表示灯（１０）を含むブレーカーの新規な組み合わせを開示してきた。本発明のそれらの組み合わせは、現在に至るまで認識も教示もされなかった独特で新規な結果を提供している。
【００３６】
ゆえに、本発明の概要は回路過負荷表示灯を内蔵する装置の全ての組み合わせであるため、本明細書では数多くの別タイプのブレーカーおよび／あるいは保護装置が含まれるものとする。
【００３７】
本発明は本書中で最も実用的で好適だと考えられる実施例の中で記述されてきたが、本発明の範囲内で変更や改良が加えられることは明らかである。本発明の範囲は本明細書中で開示された記述内容に制限されず、「請求の範囲」および全ての均等物のみによって制限される。
【図面の簡単な説明】
【００３８】
【図１】図１は、本発明への使用に適した好適なタイプの従来型表示灯の概略図である。
【図２】図２は、従来型回路保護装置に搭載された本発明の部分的内部概略図であり、第１実施例を示す。
【図３】図３は、電気的に接続された回路過負荷表示灯を上部に有する遮断ブレード型（ｉｎｔｅｒｒｕｐｔｅｒ  ｂｌａｄｅ）リセットボタンの正面図である。
【図４】図４は図３の背面図である。
【図５】図５は、従来型回路保護装置に搭載された本発明の部分的内部概略図であり、第２実施例を示す。
【図６】図６は、従来型回路保護装置に搭載された本発明の部分的内部概略図であり、第３実施例を示す。
【図７】図７は、ライトスティック形に組み立てられた本発明の概略図である。
【図８】図８は、本発明の回路過負荷表示灯が搭載された従来型ヒューズホルダーの概略図である。
【図９】図９は、別タイプの従来型回路保護装置ハウジングに本発明の整流子ストリップ（ｃｏｍｍｕｔａｔｏｒ  ｓｔｒｉｐ）を搭載する方法を示す平面図である。
【図１０】図１０は、従来型ヒュージブルリンクに回路過負荷表示灯を電気的に接続させる可能な１手段の概略図である。
【図１１】図１１は、内部に回路過負荷表示灯が搭載されたガラス管ヒューズアダプタの平面図である。
【図１２】図１２は、内部に回路過負荷表示灯が搭載されたインラインヒューズアダプタの平面図である。
【国際公開パンフレット】
2004526291.tif 000003
2004526291.tif 000004
2004526291.tif 000005
2004526291.tif 000006
2004526291.tif 000007
2004526291.tif 000008
2004526291.tif 000009
2004526291.tif 000010
2004526291.tif 000011
2004526291.tif 000012
2004526291.tif 000013
2004526291.tif 000014
2004526291.tif 000015
2004526291.tif 000016
2004526291.tif 000017
2004526291.tif 000018
2004526291.tif 000019
2004526291.tif 000020
【国際公開パンフレット（コレクトバージョン）】
2004526291.tif 000021
【国際調査報告】
2004526291.tif 000022
2004526291.tif 000023
2004526291.tif 000024